(57)【要約】【課題】配信先が必要とするファイルを容易に配信及び管理可能な配信装置及び配信プログラムを提供することを目的とする。【解決手段】Ｗｅｂサイト１１で扱う情報のメタデータを構造化して記述したファイルを配信する配信装置１３であって、データベースから情報を読み出し、ファイルを配信する配信先１６毎に情報のメタデータからファイルを生成するファイル生成手段と、ファイルを配信先１６毎に配信可能に配置するファイル配置手段とを有することにより上記課題を解決する。【選択図】図１
2009140095.tif 000002
【特許請求の範囲】
【請求項１】
所定のＷｅｂサイトで扱う情報のメタデータを構造化して記述したファイルを配信する配信装置であって、
前記情報を格納するデータベースから前記情報を読み出し、前記ファイルを配信する配信先毎に前記情報のメタデータから前記ファイルを生成するファイル生成手段と、
前記ファイルを前記配信先毎に配信可能に配置するファイル配置手段と
を有することを特徴とする配信装置。
【請求項２】
前記ファイル生成手段は、前記情報のメタデータを構造化して記述する為に必要なタグ設定情報を読み出し、そのタグ設定情報と前記データベースから読み出した前記情報とに基づき、前記配信先毎に前記情報のメタデータから前記ファイルを生成することを特徴とする請求項１記載の配信装置。
【請求項３】
前記ファイル生成手段は、前記タグ設定情報から取得した固定値と、前記情報から取得した可変値とに基づき、前記配信先毎に前記情報のメタデータから前記ファイルを生成することを特徴とする請求項２記載の配信装置。
【請求項４】
前記ファイル配置手段は、前記配信先毎に設けられた公開ディレクトリであって、前記配信先のクライアントに搭載された受信手段によって巡回される前記公開ディレクトリに前記ファイルを配置することを特徴とする請求項１記載の配信装置。
【請求項５】
前記配信先のクライアントに搭載された前記受信手段から前記ファイルの既読情報を受信し、前記ファイルの既読を検知するファイル既読検知手段を更に有することを特徴とする請求項４記載の配信装置。
【請求項６】
前記ファイルはＲＳＳ形式のファイルであり、前記受信手段はＲＳＳ形式のファイルを受信してタイトル一覧の形で表示するＲＳＳリーダであることを特徴とする請求項４記載の配信装置。
【請求項７】
前記所定のＷｅｂサイトで扱う情報は商取引に関する情報であり、前記ファイルはＲＳＳ形式のファイルであることを特徴とする請求項１乃至５何れか一項記載の配信装置。
【請求項８】
所定のＷｅｂサイトで扱う情報のメタデータを構造化して記述したファイルを配信する配信装置を、
前記情報を格納するデータベースから前記情報を読み出し、前記ファイルを配信する配信先毎に前記情報のメタデータから前記ファイルを生成するファイル生成手段と、
前記ファイルを前記配信先毎に配信可能に配置するファイル配置手段と
して機能させることを特徴とする配信プログラム。
【発明の詳細な説明】
【技術分野】
【０００１】
本発明は、配信装置及び配信プログラムに係り、特にファイルを配信する配信装置及び配信プログラムに関する。
【背景技術】
【０００２】
近年、インターネット等のコンピュータネットワークの発展に伴い、ＥＤＩ（Electronic Data Interchange）を利用した電子商取引が盛んに行われるようになった。ＥＤＩは商取引に関する情報を標準的な書式に統一して、企業間で電子的に交換する仕組みである。例えばＥＤＩでは商品情報，発注情報，納期情報，納品情報等の商取引に関する情報を予め定められた形式に従って電子化し、コンピュータネットワークを通じて送受信する。
【０００３】
ＥＤＩを利用した電子商取引では紙の伝票をやり取りしていた従来の方式に比べ、情報伝達のスピードが大幅にアップし、事務工数や人員の削減、販売機会の拡大など、利点が多い。例えば特許文献１には印刷された紙のデータに代えて、コンピュータネットワークを利用してデータをやり取りすることにより、情報伝達のスピードを向上させる内容が記載されている。
【特許文献１】特開２００２−２８８０３１号公報
【発明の開示】
【発明が解決しようとする課題】
【０００４】
ところで、ＥＤＩを利用した電子商取引では、発注者からの発注依頼等、商取引に関する情報（以下、商取引情報という）をＷｅｂサイトやメール等により購買先企業へ通知する必要がある。例えば発注者からの商取引情報を受注企業が受け付け、その商取引情報に応じた購買先企業へ商取引情報をＷｅｂサイトにより通知するシステムでは、購買先企業が発注者からの商取引情報を受け取る為にログイン等の操作が必要となる。
【０００５】
発注者からの商取引情報をＷｅｂサイトにより通知されるシステムは、毎日、発注者からの商取引情報を受ける購買先企業であれば問題ないが、一ヶ月に１回等、発注者からの商取引情報を受ける頻度の低い購買先企業の場合、無駄が多いという問題があった。
【０００６】
また、発注者からの商取引情報を受注企業が受け付け、その商取引情報に応じた購買先企業へ商取引情報をメールにより通知するシステムでは、受注企業が購買先企業のメールアドレスを管理しなければならないという問題があった。また、発注者からの商取引情報を受注企業が受け付け、その商取引情報に応じた購買先企業へ商取引情報をメールにより通知するシステムでは購買先企業が必要な商取引情報だけを受け取ることができず、不要な商取引情報の増加により本当に必要な商取引情報を見逃してしまう可能性が高まるという問題もあった。
【０００７】
本発明は、上記の点に鑑みなされたもので、配信先が必要とするファイルを容易に配信及び管理可能な配信装置及び配信プログラムを提供することを目的とする。
【課題を解決するための手段】
【０００８】
上記課題を解決する為、本発明は、所定のＷｅｂサイトで扱う情報のメタデータを構造化して記述したファイルを配信する配信装置であって、前記情報を格納するデータベースから前記情報を読み出し、前記ファイルを配信する配信先毎に前記情報のメタデータから前記ファイルを生成するファイル生成手段と、前記ファイルを前記配信先毎に配信可能に配置するファイル配置手段とを有することを特徴とする。
【０００９】
また、上記課題を解決する為、本発明は、所定のＷｅｂサイトで扱う情報のメタデータを構造化して記述したファイルを配信する配信装置を、前記情報を格納するデータベースから前記情報を読み出し、前記ファイルを配信する配信先毎に前記情報のメタデータから前記ファイルを生成するファイル生成手段と、前記ファイルを前記配信先毎に配信可能に配置するファイル配置手段として機能させることを特徴とする配信プログラムであることを特徴とする。
【００１０】
なお、本発明の構成要素、表現または構成要素の任意の組合せを、方法、装置、システム、コンピュータプログラム、記録媒体、データ構造などに適用したものも本発明の態様として有効である。
【発明の効果】
【００１１】
本発明によれば、配信先が必要とするファイルを容易に配信及び管理可能な配信装置及び配信プログラムを提供可能である。
【発明を実施するための最良の形態】
【００１２】
次に、本発明を実施するための最良の形態を、以下の実施例に基づき、図面を参照しつつ説明していく。なお、本実施例では配信装置の一例としてＲＳＳ配信システムを例に説明するが、他の配信装置であってもよい。また、本実施例ではＲＳＳ配信システムを含んだシステムの一例として電子商取引システムを例に説明するが、他のシステムであってもよい。ＲＳＳとは、Ｗｅｂサイトの見出しや要約などのメタデータを構造化して記述するＸＭＬベースのフォーマットである。
【００１３】
図１は電子商取引システムの一実施例の構成図である。電子商取引システム１は、Ｗｅｂオンライン発注システム１１，データベース（以下、ＤＢという）を有するメインホスト１２，ＲＳＳ配信システム１３，ＤＢを有する外部関連システム１４，１つ以上の発注者用クライアント１５，１つ以上の購買先企業用クライアント１６，１つ以上のシステム管理者用クライアント１７が、インターネットやＬＡＮ等のコンピュータネットワーク１８経由でデータ通信可能に接続されている。なお、図１の電子商取引システム１は一例であって、外部関連システム１４が無い構成や他の要素が追加された構成も可能である。
【００１４】
Ｗｅｂオンライン発注システム１１，メインホスト１２及びＲＳＳ配信システム１３は例えば受注企業に設けられる。また、発注者用クライアント１５は発注者が操作するものである。また、購買先企業用クライアント１６は購買先企業に設けられる。また、システム管理者用クライアント１７はシステム管理者が操作するものである。なお、図１の電子商取引システム１の詳細は後述する。
【００１５】
Ｗｅｂオンライン発注システム１１，メインホスト１２，ＲＳＳ配信システム１３，外部関連システム１４，発注者用クライアント１５，購買先企業用クライアント１６，システム管理者用クライアント１７は、例えば図２に示すようなコンピュータシステムにより実現される。
【００１６】
図２はコンピュータシステムの一実施例の構成図である。図２のコンピュータシステム２０は、それぞれバスＢで相互に接続されている入力装置２１，出力装置２２，ドライブ装置２３，補助記憶装置２４，主記憶装置２５，演算処理装置２６及びインターフェース装置２７で構成される。
【００１７】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、コンピュータネットワーク１８に接続する為に用いられる。
【００１８】
コンピュータシステム２０を制御するプログラムは、例えば記録媒体２８の配布やコンピュータネットワーク１８からのダウンロードなどによって提供される。プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００１９】
また、プログラムを記録した記録媒体２８がドライブ装置２３にセットされると、プログラムは記録媒体２８からドライブ装置２３を介して補助記憶装置２４にインストールされる。ダウンロードされたプログラムは、インターフェース装置２７を介して補助記憶装置２４にインストールされる。
【００２０】
コンピュータシステム２０は、インストールされたプログラムを格納すると共に、必要なファイル，データ等を格納する。主記憶装置２５は、起動時に補助記憶装置２４からプログラムを読み出して格納する。そして、演算処理装置２６は主記憶装置２５に格納されたプログラムに従って、後述するような各種処理を実現している。
【００２１】
図３は電子商取引システムにおける一例の処理内容を表した模式図である。図３の電子商取引システム１は、本来、Ｗｅｂサイト更新通知に用いるＲＳＳフィードの仕組みをＥＤＩ関連情報（商取引情報）通知に転用することで、後述のように購買先企業の担当者が必要な情報を容易に配信及び管理できるものである。ＲＳＳフィードとは、Ｗｅｂサイトが更新情報などをＲＳＳ形式のデータで提供することである。
【００２２】
図３の電子商取引システム１における発注者は、受注企業に発注を行う者である。受注企業は、発注者からの発注を受け付ける企業である。購買先企業は、発注者からの発注を受注企業から受け付ける企業である。システム管理者は、電子商取引システム１を管理する者である。
【００２３】
発注者は発注者用クライアント１５を操作し、Ｗｅｂブラウザが表示したＷｅｂページを利用して発注依頼，納期確認，納品登録等をＷｅｂオンライン発注システム１１に対して行う。システム管理者はシステム管理者用クライアント１７を操作し、Ｗｅｂブラウザが表示したＷｅｂページを利用してトラブル連絡等をＷｅｂオンライン発注システム１１に対して行う。
【００２４】
購買先企業の担当者（商品担当者，納期担当者，在庫担当者など）は、購買先企業用クライアント１６を操作し、Ｗｅｂブラウザが表示したＷｅｂページを利用して商品情報登録，発注情報取得，納期情報登録，在庫情報登録，出荷情報登録，納品情報取得，トラブル連絡確認等をＷｅｂオンライン発注システム１１に対して行う。
【００２５】
Ｗｅｂオンライン発注システム１１は発注者用クライアント１５から受け付けた発注依頼，納期確認，納品登録等と、購買先企業用クライアント１６から受け付けた商品情報登録，発注情報取得，納期情報登録，在庫情報登録，出荷情報登録，納品情報取得，トラブル連絡確認等と、システム管理者用クライアント１７から受け付けたトラブル連絡等に基づき、メインホスト１２が有するＤＢの商品情報，発注情報，納期情報，在庫情報，出荷情報，トラブル情報等をバッチ処理により情報更新する。
【００２６】
また、メインホスト１２はバッチ処理による情報更新を行うことにより、情報更新されたＤＢの内容を外部関連システム１４のデータベースに反映させる。なお、メインホスト１２は商品情報登録，発注あり通知，納期情報更新通知，在庫情報更新通知，出荷情報更新通知，納品完了通知，トラブル連絡等をメールにて購買先企業の担当者へ通知することもできる。
【００２７】
ＲＳＳ配信システム１３はメインホスト１２が有するＤＢの各種情報のデータから後述するようにＲＳＳファイルを自動生成する。ＲＳＳ配信システム１３は、ＲＳＳファイル生成機能３１，ＲＳＳファイル配置機能３２，ＲＳＳファイル既読検知機能３３を有している。
【００２８】
ＲＳＳファイル配置機能３２は、商品情報更新通知，納期情報更新通知，在庫情報更新通知，発注あり通知，納品完了通知，トラブル連絡等のＲＳＳファイルを後述のように配信先毎のＲＳＳファイル公開ディレクトリへ配置している。なお、ＲＳＳファイル生成機能３１，ＲＳＳファイル配置機能３２，ＲＳＳファイル既読検知機能３３の詳細は、後述する。
【００２９】
また、購買先企業用クライアント１６はＲＳＳリーダが搭載されている。ＲＳＳリーダとはＷｅｂサイトを巡回してＲＳＳ形式のデータを受信し、タイトル一覧の形で表示するソフトウェアである。ＲＳＳリーダは、配信先毎のＲＳＳファイル公開ディレクトリに配置されているＲＳＳファイルを受信し、タイトル一覧の形で表示する。購買先企業の担当者は購買先企業用クライアント１６を操作し、ＲＳＳリーダが表示しているタイトル一覧からタイトルを選択することで、内容を表示することができる。
【００３０】
なお、ＲＳＳ配信システム１３は商品情報更新通知，納期情報更新通知，在庫情報更新通知，発注あり通知，納品完了通知，トラブル連絡等のメッセージごとにチャンネル（カテゴリ）分類をすることで必要な情報を選択可能としている。例えば購買先企業の担当者はＲＳＳリーダの機能であるキーワード設定を利用することでカテゴリごとのアラート表示等が可能である。購買先企業の担当者は、必要な更新情報やエラーメッセージを選択して監視することができるので、必要な情報を閲覧できる。
【００３１】
図４はＲＳＳ配信システムのＲＳＳファイル生成機能及びＲＳＳファイル配置機能を表した一例の模式図である。なお、図４は、発注情報，商品情報及びトラブル情報から発注あり通知，商品情報更新通知及びトラブル連絡のＲＳＳファイルを生成し、ＲＳＳファイル公開ディレクトリへ配置する手順を一例として表している。
【００３２】
ＲＳＳ配信システム１３のＲＳＳファイル生成機能３１はメインホスト１２のＤＢから発注情報，商品情報，トラブル情報等のデータを読み出し、発注件数集計結果，商品情報更新集計結果，トラブル連絡等のテキスト形式のファイルを生成する。
【００３３】
なお、発注件数集計結果のテキスト形式のファイルには、企業コード，タイトル，発生時刻，件数，ダウンロードＵＲＬ等が含まれる。商品情報更新集計結果のテキスト形式のファイルには、企業コード，タイトル，更新完了時刻，処理件数，エラー件数，エラーサマリ等が含まれている。トラブル連絡のテキスト形式のファイルには、企業コード，発生日時，復旧時刻，影響等が含まれている。
【００３４】
ＲＳＳファイル生成機能３１はメインホスト１２のＤＢ等からＸＭＬタグ設定情報を読み出し、そのＸＭＬタグ設定情報に含まれる発注あり通知変換用タグ情報，商品情報更新通知変換用タグ情報，トラブル連絡変換用タグ情報等に基づき、発注件数集計結果，商品情報更新集計結果，トラブル連絡等のテキスト形式のファイルをＸＭＬ変換することで発注あり通知，商品情報更新通知，トラブル連絡等のＲＳＳファイルを生成する。
【００３５】
ＲＳＳファイル配置機能３２はＲＳＳファイル生成機能３１によって生成された発注あり通知，商品情報更新通知等のＲＳＳファイルを購買先企業である仕入れ先ごとに設けられたＲＳＳファイル公開ディレクトリに配置する。なお、ＲＳＳファイル配置機能３２はＲＳＳファイル生成機能３１によって生成されたトラブル連絡のＲＳＳファイルを全ての購買先企業を対象として設けられた仕入先共通のＲＳＳファイル公開ディレクトリに配置する。
【００３６】
ここではＲＳＳファイル生成機能３１の処理手順の詳細について発注あり通知のＲＳＳファイルを生成する例について説明する。図５はＲＳＳファイル生成処理の手順を表した一例のフローチャートである。
【００３７】
ステップＳ１に進み、ＲＳＳファイル生成機能３１はメインホスト１２のＤＢから発注情報のデータを読み出す。ステップＳ２に進み、ＲＳＳファイル生成機能３１はステップＳ１で読み出した発注情報のデータから購買先企業ごとに発注件数をＳＱＬ（Structured Query Language）集計する発注件数集計を行う。
【００３８】
ステップＳ３に進み、ＲＳＳファイル生成機能３１は発注件数集計結果をテキスト形式のファイルに書き込む。ＲＳＳファイル生成機能３１は全ての購買先企業（全仕入先）の発注件数集計結果を１つの購買先企業につき１行で１つのファイルにまとめる。発注件数集計結果のテキスト形式のファイルには、企業コード，タイトル，発生時刻，件数，ダウンロードＵＲＬ等が含まれる。
【００３９】
ステップＳ４に進み、ＲＳＳファイル生成機能３１はメインホスト１２のＤＢ等からＸＭＬタグ設定情報を読み出し、そのＸＭＬタグ設定情報に含まれる図６上段に示すような発注あり通知変換用タグ情報を取得する。図６は発注あり通知変換用タグ情報及びＲＳＳファイルの一例を表した模式図である。図６に示したように、発注あり通知変換用タグ情報は項目名及びデータから構成されている。
【００４０】
ステップＳ５に進み、ＲＳＳファイル生成機能３１は発注件数集計結果のテキスト形式のファイルから１行、言い換えれば１つの購買先企業の発注件数集計結果を読み出す。ステップＳ６に進み、ＲＳＳファイル生成機能３１はステップＳ４で読み出した発注あり通知変換用タグ情報に基づき、ステップＳ５で読み出した１つの購買先企業の発注件数集計結果をＸＭＬ変換（ＸＭＬタグマップ処理）することで１つの購買先企業の発注あり通知である図６下段のようなＲＳＳファイルを生成する。図６下段のＲＳＳファイルは発注あり通知変換用タグ情報から固定値を取り出して設定する箇所を斜体で表し、集計又は取得して設定する箇所を太線及び波線で表している。
【００４１】
ステップＳ７に進み、ＲＳＳファイル生成機能３１はステップＳ６で生成した１つの購買先企業の発注あり通知であるＲＳＳファイルをＲＳＳファイル作成用ディレクトリに書き込む。ＲＳＳファイルには例えばファイル名の先頭に企業コードが付与される。
【００４２】
なお、ステップＳ５〜Ｓ７の処理は発注件数集計結果の行数分、言い換えれば全ての購買先企業に対して行われる。したがって、ＲＳＳファイル作成用ディレクトリには購買先企業ごとに発注あり通知であるＲＳＳファイルが書き込まれる。
【００４３】
ＲＳＳファイル作成用ディレクトリに購買先企業毎の発注あり通知であるＲＳＳファイルが書き込まれると、ＲＳＳファイル生成機能３１は図７に示すようなＲＳＳファイル配置処理を行う。
【００４４】
図７はＲＳＳファイル配置処理の手順を表した一例のフローチャートである。ステップＳ１１に進み、ＲＳＳファイル配置機能３２はＲＳＳファイル作成用ディレクトリから１つのＲＳＳファイル、言い換えれば１つの購買先企業の発注あり通知であるＲＳＳファイルを取り出す。
【００４５】
ステップＳ１２に進み、ＲＳＳファイル配置機能３２はＲＳＳファイルを取り出した購買先企業（対象企業）のＲＳＳファイル公開ディレクトリを探索する。具体的には、ＲＳＳファイル配置機能３２が、ファイル名の先頭に付与された企業コードと一致するＲＳＳファイル公開ディレクトリを探索する。
【００４６】
ステップＳ１３に進み、ＲＳＳファイル配置機能３２はステップＳ１１で取り出したＲＳＳファイルを、ステップＳ１２で探索したＲＳＳファイル公開ディレクトリに移動して配置する。なお、ＲＳＳファイル公開ディレクトリに前回配置したＲＳＳファイルがある場合、ＲＳＳファイル配置機能３２はステップＳ１１で取り出したＲＳＳファイルを前回配置したＲＳＳファイルに上書きする。
【００４７】
ステップＳ１１〜Ｓ１３の処理はＲＳＳファイル作成用ディレクトリに書き込まれているＲＳＳファイル数分、繰り返し行われる。ＲＳＳファイル作成用ディレクトリに書き込まれたＲＳＳファイルは以下のようにＲＳＳリーダへＲＳＳ配信情報として登録することで購買先企業の担当者が閲覧できるようになる。
【００４８】
図８はＲＳＳ配信情報登録処理の手順を表した一例のフローチャートである。ステップＳ２１に進み、購買先企業Ａの発注担当者は購買先企業用クライアント１６を操作してＲＳＳリーダをＷｅｂオンライン発注システム１１にログインさせる。購買先企業Ａの発注担当者はＲＳＳリーダが表示している「ＲＳＳ登録」リンクをクリックする。
【００４９】
ステップＳ２２に進み、Ｗｅｂオンライン発注システム１１は購買先企業用クライアント１６に搭載されたＲＳＳリーダからクライアント情報を取得する。Ｗｅｂオンライン発注システム１１はステップＳ２３に進み、メインホスト１２が有するＤＢのユーザ情報を参照し、クライアント情報から購買先企業Ａを判別する。
【００５０】
ステップＳ２４に進み、Ｗｅｂオンライン発注システム１１は購買先企業Ａ用のＲＳＳ登録ページへ購買先企業用クライアント１６のＲＳＳリーダを誘導する。ステップＳ２５に進み、購買先企業Ａの発注担当者はＲＳＳリーダに表示された購買先企業Ａ用のＲＳＳ登録ページから必要なＲＳＳ配信情報（ＲＳＳファイル）を選択し、ＲＳＳリーダに登録する。ここでは、発注あり通知が選択されたものとして説明する。購買先企業用クライアント１６に搭載されたＲＳＳリーダは、ＲＳＳ配信システム１３の購買先企業Ａ向けのＲＳＳファイル公開ディレクトリに配置された発注あり通知であるＲＳＳファイルのＵＲＬリンクがＲＳＳ配信情報として登録される。
【００５１】
ステップＳ２６に進み、購買先企業Ａの発注担当者は購買先企業用クライアント１６に搭載されたＲＳＳリーダにより、購買先企業Ａ向けのＲＳＳファイル公開ディレクトリに配置された発注あり通知を参照できる。
【００５２】
図９は購買先企業用クライアントに搭載されたＲＳＳリーダによる発注あり通知の表示例を表したイメージ図である。購買先企業用クライアント１６に搭載されたＲＳＳリーダはＲＳＳ配信システム１３のＲＳＳファイル公開ディレクトリに配置された発注あり通知であるＲＳＳファイルのＵＲＬリンクを巡回して、発注あり通知をタイトル一覧の形で表示する。購買先企業の担当者は購買先企業用クライアント１６を操作し、ＲＳＳリーダが表示しているタイトル一覧からタイトルを選択することで、そのタイトルに対応した内容を表示することができる。
【００５３】
図９左側は購買先企業ＡのＲＳＳリーダによる発注あり通知の表示例である。図９右側は購買先企業ＢのＲＳＳリーダによる発注あり通知の表示例である。図９のイメージ図では上段にタイトル一覧が表示され、下段に選択されたタイトルに対応した内容が表示されている。
【００５４】
図９に表されているように、ＲＳＳリーダによる発注あり通知の表示は購買先企業Ａと購買先企業Ｂとで購買先企業名や発注依頼の件数等の通知メッセージが異なる。図９に表しているＲＳＳリーダによる発注あり通知の表示では新しい発注あり通知があるとポップアップ表示を行っている。このように、購買先企業の担当者はメインホスト１２が有するＤＢに、必要な新しい情報が発生したことをＲＳＳリーダで容易に検知できる。
【００５５】
図１０は、購買先企業用クライアントにおける既読を検知する処理の手順を表した一例のフローチャートである。ステップＳ３１に進み、購買先企業Ａの担当者はＲＳＳリーダにより表示された発注あり通知のタイトル一覧から一つのタイトルをクリック等により選択する。
【００５６】
ステップＳ３２に進み、ＲＳＳリーダは選択されたタイトルに基づき、＜ｌｉｎｋ＞タグに設定したリクエストをＲＳＳ配信システム１３のＲＳＳファイル既読検知機能３３へ送信する。例えば＜ｌｉｎｋ＞タグは、<link>http://www.Oosys.co.jp/A/OrderNotice/index.jsp?200706100830</link>
というように設定されている。ステップＳ３３に進み、ＲＳＳ配信システム１３のＲＳＳファイル既読検知機能３３は＜ｌｉｎｋ＞タグによるリクエストを受信すると、購買先企業，メッセージ種類，メッセージ配信日付時刻を判別する。
【００５７】
例えば上記した＜ｌｉｎｋ＞タグでは「A」が購買先企業Ａを示し、「OrderNotice」が発注あり通知を示し、「200706100830」がメッセージ配信日付時刻を示す。ＲＳＳファイル既読検知機能３３は、メインホスト１２が有するＤＢのＲＳＳメッセージ既読情報として購買先企業Ａ，発注あり通知，メッセージ配信日付時刻を記録する。このように、ＲＳＳ配信システム１３では、購買先企業でメッセージが読まれたことを検知できる。
【００５８】
以上、ＲＳＳ配信システム１３は、ＲＳＳフィードの仕組みをＥＤＩ関連情報（商取引情報）通知に転用し、配信先の一例である購買先企業が必要とするＲＳＳファイルを受注企業側で購買先企業毎に生成することでセキュリティを強化し、又、購買先企業側で必要なＲＳＳファイルを選択できるようにした為、ＲＳＳファイルの配信及びＲＳＳファイルの管理が容易である。
【００５９】
本発明は、具体的に開示された実施例に限定されるものではなく、特許請求の範囲から逸脱することなく、種々の変形や変更が可能である。
【図面の簡単な説明】
【００６０】
【図１】電子商取引システムの一実施例の構成図である。
【図２】コンピュータシステムの一実施例の構成図である。
【図３】電子商取引システムにおける一例の処理内容を表した模式図である。
【図４】ＲＳＳ配信システムのＲＳＳファイル生成機能及びＲＳＳファイル配置機能を表した一例の模式図である。
【図５】ＲＳＳファイル生成処理の手順を表した一例のフローチャートである。
【図６】発注あり通知変換用タグ情報及びＲＳＳファイルの一例を表した模式図である。
【図７】ＲＳＳファイル配置処理の手順を表した一例のフローチャートである。
【図８】ＲＳＳ配信情報登録処理の手順を表した一例のフローチャートである。
【図９】購買先企業用クライアントに搭載されたＲＳＳリーダによる発注あり通知の表示例を表したイメージ図である。
【図１０】購買先企業用クライアントにおける既読を検知する処理の手順を表した一例のフローチャートである。
【符号の説明】
【００６１】
１    電子商取引システム
１１    Ｗｅｂオンライン発注システム
１２    メインホスト
１３    ＲＳＳ配信システム
１４    外部関連システム
１５    発注者用クライアント
１６    購買先企業用クライアント
１７    システム管理者用クライアント
１８    コンピュータネットワーク
２０    コンピュータシステム
２１    入力装置
２２    出力装置
２３    ドライブ装置
２４    補助記憶装置
２５    主記憶装置
２６    演算処理装置
２７    インターフェース装置
３１    ＲＳＳファイル生成機能
３２    ＲＳＳファイル配置機能
３３    ＲＳＳファイル既読検知機能
Ｂ    バス
【図１】
2009140095.tif 000003
【図２】
2009140095.tif 000004
【図３】
2009140095.tif 000005
【図４】
2009140095.tif 000006
【図５】
2009140095.tif 000007
【図６】
2009140095.tif 000008
【図７】
2009140095.tif 000009
【図８】
2009140095.tif 000010
【図９】
2009140095.tif 000011
【図１０】
2009140095.tif 000012